(57)【要約】      （修正有）【課題】二つのＩＣカードに対して交互に一連の処理を施すことができ、かつ、小型化が可能なＩＣカード処理装置を提供する。【解決手段】ＩＣカードＲＷ端末１は、第１と第２のアンテナ１１、１２と、第１と第２のデータ送信回路１９、２０と、データ受信回路２１と、二つのアンテナ１１、１２を切り換えるアンテナ切換回路２６と、送信制御回路２２と、受信制御回路２３を備える。二つのＩＣカードに対して一連の処理を交互に施すときに、第１のアンテナ１１から身分証明用ＩＣカード６へ送信データ信号を送信するとともに、第２のアンテナ１２から認証用ＩＣカード８へ送信データ信号を送信する。身分証明用ＩＣカード６から受信データ信号を受信するときには第１のアンテナ１１を使用し、認証用ＩＣカード８から受信データ信号を受信するときには第２のアンテナ１２を使用するようにアンテナ切換回路２６を制御する。【選択図】図３
2008015978.tif 000002
【特許請求の範囲】
【請求項１】
第１のＩＣカードと非接触通信可能な第１のアンテナと、
第２のＩＣカードと非接触通信可能な第２のアンテナと、
前記第１のアンテナを用いて、前記第１のＩＣカードへ送信データ信号を送信する第１のデータ送信部と、
前記第２のアンテナを用いて、前記第２のＩＣカードへ送信データ信号を送信する第２のデータ送信部と、
前記第１および第２のアンテナを用いて、前記第１および第２のＩＣカードから受信データ信号を受信するデータ受信部と、
前記第１および第２のＩＣカードから前記受信データ信号を受信するときに、前記第１のアンテナと前記第２のアンテナを切り換えるアンテナ切換え部と、
前記第１および第２のＩＣカードに対して一連の処理を交互に施すときに、前記第１のアンテナから前記第１のＩＣカードへ前記送信データ信号を送信するとともに、前記第２のアンテナから前記第２のＩＣカードへ前記送信データ信号を送信するように、前記第１および第２のデータ送信部を制御する送信制御部と、
前記第１のＩＣカードから前記受信データ信号を受信するときに前記第１のアンテナを使用し、前記第２のＩＣカードから前記受信データ信号を受信するときに前記第２のアンテナを使用するように、前記データ受信部および前記アンテナ切換え部を制御する受信制御部と、
を備えたことを特徴とするＩＣカード処理装置。
【請求項２】
前記送信データ信号は、前記第１および第２のＩＣカードに電源供給するための電源供給用信号を含み、
前記送信制御部は、前記第１または第２のＩＣカードのいずれか一方に対して前記一連の処理を行っているときに、前記第１および第２のＩＣカードの両方へ前記送信データ信号を継続して送信するように制御することを特徴とする請求項１に記載のＩＣカード処理装置。
【請求項３】
前記一連の処理は、前記第１のＩＣカードで行われる第１の処理と、前記第１の処理の結果に基づいて前記第２のＩＣカードで行われる第２の処理を含み、
前記第１のＩＣカードへの送信データ信号は、前記第１の処理に用いられるデータ信号を変調した変調データ信号を含み、
前記第１のＩＣカードからの受信データ信号は、前記第１の処理の結果のデータ信号を含み、
前記第２のＩＣカードへの送信データ信号は、前記第１の処理の結果から得られ、前記第２の処理に用いられるデータ信号を変調した変調データ信号を含み、
前記第２のＩＣカードからの受信データ信号は、前記第２の処理の結果のデータ信号を含み、
前記電源供給用信号は、前記変調データ信号を搬送するキャリア信号として用いられることを特徴とする請求項２に記載のＩＣカード処理装置。
【請求項４】
前記第１のＩＣカードは、データ処理を施す対象の処理対象ＩＣカードであり、
前記第２のＩＣカードは、前記処理対象ＩＣカードにデータ処理を施す作業者の認証用ＩＣカードであり、
前記一連の処理は、前記処理対象ＩＣカードと前記認証用ＩＣカードとの間で交互に行われ、前記処理対象ＩＣカードにデータ処理を施す作業者を認証する相互認証処理であることを特徴とする請求項１ないし請求項３のいずれかに記載のＩＣカード処理装置。
【発明の詳細な説明】
【技術分野】
【０００１】
本発明は、二つのＩＣカードに対して交互に一連の処理を施すＩＣカード処理装置に関し、特に、ＩＣカード処理装置の小型化に関するものである。
【背景技術】
【０００２】
従来、複数のＩＣカード装着部を備えたＩＣカード処理装置が知られている（例えば、特許文献１参照）。従来のＩＣカード処理装置は、非接触ＩＣカード通信用のアンテナを一つ備えており、このアンテナを使用して複数のＩＣカードのうちの何れか一つに対して所定の処理を行う。
【０００３】
このとき、非接触ＩＣカード通信用のアンテナからは、キャリア信号（搬送波）に変調データ信号をのせた送信データ信号が、複数のＩＣカードのうちの何れか一つのＩＣカードへ向けて送信される。アンテナから送信された送信データ信号をＩＣカードが受信すると、電磁誘導によって電流が発生する。そして、ＩＣカードは、この電流をエネルギー源として、ＩＣチップを動作させてデータ処理（データの読込み、書込み等）を行い、アンテナへ向けてデータを送り返す。つまり、ＩＣカードは、送信データ信号により電源供給を受けているともいえる。
【特許文献１】特開２００６−３９３２号公報（第５−７頁、第１図）
【発明の開示】
【発明が解決しようとする課題】
【０００４】
しかしながら、従来のＩＣカード処理装置では、複数のＩＣカードのうちの何れか一つのＩＣカードの処理しか行うことができず、複数のＩＣカードに対して一連の処理を交互に施すことができないという問題があった。つまり、従来のＩＣカード処理装置では、非接触ＩＣカード通信用のアンテナが一つしか備えられていないため、何れか一つのＩＣカードと通信している間、他のＩＣカードとは通信を行うことができない。そうすると、通信を行っていない他のＩＣカードには、送信データ信号が送信されないので、送信データ信号による電源供給が行われず、ＩＣカードのデータ処理状態が初期状態に戻ってしまう。したがって、複数のＩＣカードに一連の処理を施そうとしても、一つのＩＣカードに送信データ信号を送信しデータ処理を行っている間に、電源供給されない他のＩＣカードは初期状態に戻ってしまい、複数のＩＣカードに一連の処理を交互に施すことができない。
【０００５】
そこで、図６に示すように、複数のＩＣカード（例えば、二つのＩＣカード）に一連の処理を施すために、ＩＣカード処理装置に、二つのアンテナ（アンテナＡ、アンテナＢ）と二つの送受信部（送受信部Ａ、送受信部Ｂ）を設けることも考えられる。しかしながら、ＩＣカード処理装置に、二つの送受信部を設けると、送受信部の回路規模が大きくなり、ＩＣカード処理装置の小型化や低消費電力化、低価格化が困難になるという問題があった。
【０００６】
本発明は、上記従来の問題を解決するためになされたもので、二つのＩＣカードに対して交互に一連の処理を施すことができ、かつ、小型化や低消費電力化、低価格化が可能なＩＣカード処理装置を提供することを目的とする。
【課題を解決するための手段】
【０００７】
本発明のＩＣカード処理装置は、第１のＩＣカードと非接触通信可能な第１のアンテナと、第２のＩＣカードと非接触通信可能な第２のアンテナと、前記第１のアンテナを用いて、前記第１のＩＣカードへ送信データ信号を送信する第１のデータ送信部と、前記第２のアンテナを用いて、前記第２のＩＣカードへ送信データ信号を送信する第２のデータ送信部と、前記第１および第２のアンテナを用いて、前記第１および第２のＩＣカードから受信データ信号を受信するデータ受信部と、前記第１および第２のＩＣカードから前記受信データ信号を受信するときに、前記第１のアンテナと前記第２のアンテナを切り換えるアンテナ切換え部と、前記第１および第２のＩＣカードに対して一連の処理を交互に施すときに、前記第１のアンテナから前記第１のＩＣカードへ前記送信データ信号を送信するとともに、前記第２のアンテナから前記第２のＩＣカードへ前記送信データ信号を送信するように、前記第１および第２のデータ送信部を制御する送信制御部と、前記第１のＩＣカードから前記受信データ信号を受信するときに前記第１のアンテナを使用し、前記第２のＩＣカードから前記受信データ信号を受信するときに前記第２のアンテナを使用するように、前記データ受信部および前記アンテナ切換え部を制御する受信制御部と、を備えた構成を有している。
【０００８】
この構成により、第１および第２のＩＣカードに対して一連の処理を交互に施している間、第１のアンテナから第１のＩＣカードへ送信データ信号を送信するとともに、第２のアンテナから第２のＩＣカードへ送信データ信号を送信する。これにより、二つのアンテナ（第１および第２のアンテナ）を用いて、二つのＩＣカード（第１および第２のＩＣカード）に対して一連の処理を交互に施すことができる。また、第１のＩＣカードから受信データ信号を受信するときに第１のアンテナを使用し、第２のＩＣカードから受信データ信号を受信するときに第２のアンテナを使用するように、アンテナ切換え部を制御する。これにより、一つのデータ受信部を共用することができ、データ受信部の回路規模を小さくすることができる。したがって、二つのＩＣカード（第１および第２のＩＣカード）に対して交互に一連の処理を施すことができ、かつ、ＩＣカード処理装置の小型化や低消費電力化、低価格化が可能になる。
【０００９】
また、本発明のＩＣカード処理装置では、前記送信データ信号は、前記第１および第２のＩＣカードに電源供給するための電源供給用信号を含み、前記送信制御部は、前記第１または第２のＩＣカードのいずれか一方に対して前記一連の処理を行っているときに、前記第１および第２のＩＣカードの両方へ前記送信データ信号を継続して送信するように制御する構成を有している。
【００１０】
この構成により、第１および第２のＩＣカードに対して一連の処理を交互に施している間、継続的に、電源供給用信号を含む送信データ信号が第１のＩＣカードへ送信されるとともに、電源供給用信号を含む送信データ信号が第２のＩＣカードへ送信される。これにより、一連の処理を行っている間、継続的に、第１のＩＣカードの電源供給を行うことができるとともに、第２のＩＣカードの電源供給を行うことができる。これにより、二つのＩＣカード（第１および第２のＩＣカード）に対して一連の処理を施すときに、一方のＩＣカードの処理中に他方のＩＣカードの電源供給が断たれることがなく、従来のように一連の処理中にＩＣカードが初期状態に戻るのを防ぐことができる。したがって、二つのＩＣカード（第１および第２のＩＣカード）に対して一連の処理を交互に施すことができる。
【００１１】
また、本発明のＩＣカード処理装置では、前記一連の処理は、前記第１のＩＣカードで行われる第１の処理と、前記第１の処理の結果に基づいて前記第２のＩＣカードで行われる第２の処理を含み、前記第１のＩＣカードへの送信データ信号は、前記第１の処理に用いられるデータ信号を変調した変調データ信号を含み、前記第１のＩＣカードからの受信データ信号は、前記第１の処理の結果のデータ信号を含み、前記第２のＩＣカードへの送信データ信号は、前記第１の処理の結果から得られ、前記第２の処理に用いられるデータ信号を変調した変調データ信号を含み、前記第２のＩＣカードからの受信データ信号は、前記第２の処理の結果のデータ信号を含み、前記電源供給用信号は、前記変調データ信号を搬送するキャリア信号として用いられる構成を有している。
【００１２】
この構成により、二つのＩＣカード（第１および第２のＩＣカード）に対して一連の処理を交互に施すときには、まず、第１の処理に用いられるデータ信号を変調した変調データ信号を含む送信データ信号を第１のＩＣカードへ送信する。第１のＩＣカードで第１の処理が行われると、その処理の結果のデータ信号を含む受信データ信号を第１のＩＣカードから受信する。このようにして、第１のＩＣカードとの間でデータ通信が行われる。つぎに、第１の処理の結果から得られたデータ信号であって、第２の処理に用いられるデータ信号を変調した変調データ信号を含む送信データ信号を第２のＩＣカードへ送信する。第２のＩＣカードで第２の処理が行われると、その処理の結果のデータ信号を含む受信データ信号を第２のＩＣカードから受信する。このようにして、第２のＩＣカードとの間でデータ通信が行われる。このとき、変調データ信号を搬送するキャリア信号として電源供給用信号が用いられているので、第１および第２のＩＣカードとの間でデータ通信を行うと同時に、第１および第２のＩＣカードの電源供給をすることができる。
【００１３】
また、本発明のＩＣカード処理装置では、前記第１のＩＣカードは、データ処理を施す対象の処理対象ＩＣカードであり、前記第２のＩＣカードは、前記処理対象ＩＣカードにデータ処理を施す作業者の認証用ＩＣカードであり、前記一連の処理は、前記処理対象ＩＣカードと前記認証用ＩＣカードとの間で交互に行われ、前記処理対象ＩＣカードにデータ処理を施す作業者を認証する相互認証処理である構成を有している。
【００１４】
この構成により、処理対象ＩＣカードと認証用ＩＣカードに対して相互認証処理を施すときに、第１のアンテナから処理対象ＩＣカードへ送信データ信号を送信するとともに、第２のアンテナから認証用ＩＣカードへ送信データ信号を送信する。これにより、二つのアンテナ（第１および第２のアンテナ）を用いて、二つのＩＣカード（処理対象ＩＣカードおよび認証用ＩＣカード）に対して相互認証処理を施すことができる。
【発明の効果】
【００１５】
本発明は、第１および第２のアンテナを設け、第１および第２のＩＣカードに対して一連の処理を交互に施すときに、第１のアンテナから第１のＩＣカードへ送信データ信号を送信するとともに、第２のアンテナから第２のＩＣカードへ送信データ信号を送信するように、第１および第２のデータ送信部を制御し、第１のＩＣカードから受信データ信号を受信するときに第１のアンテナを使用し、第２のＩＣカードから受信データ信号を受信するときに第２のアンテナを使用するように、データ受信部およびアンテナ切換え部を制御することにより、二つのＩＣカード（第１および第２のＩＣカード）に対して交互に一連の処理を施すことができ、かつ、小型化や低消費電力化、低価格化が可能であるという効果を有するＩＣカード処理装置を提供することができるものである。
【発明を実施するための最良の形態】
【００１６】
以下、本発明の実施の形態のＩＣカード処理装置について、図面を用いて説明する。本実施の形態では、ＩＣカードに記録された情報の読取りや追記（例えば、住所情報の確認、変更、追加など）のデータ処理を行うＩＣカードＲＷ端末（ＩＣカードリーダライタ端末）の場合を例示する。
【００１７】
本実施の形態のＩＣカードＲＷ端末を図１〜図５に示す。図１は、本実施の形態のＩＣカードＲＷ端末１の主要な構成を示すブロック図である。図２は、ＩＣカードＲＷ端末１の外観を示す斜視図である。図３は、ＩＣカードＲＷ端末１の全体構成を示すブロック図である。
【００１８】
ここでは、まず、ＩＣカードＲＷ端末１の外観の構成について説明する。図２に示すように、ＩＣカードＲＷ端末１は、端末本体２と、端末本体２にヒンジ３を介して回動可能に取り付けられたカードホルダ４で構成されている。カードホルダ４には、ＩＣカードスロット５が設けられており、ＩＣカードスロット５には、データ処理を施す対象の身分証明用ＩＣカード６が挿入される。一方、端末本体２の上面の中央部には、ＩＣカード載せ台７が設けられており、ＩＣカード載せ台７には、身分証明用ＩＣカード６にデータ処理を施す作業者の認証用ＩＣカード８が載置される。ここでは、ＩＣカードＲＷ端末１が、本発明のＩＣカード処理装置に相当する。また、身分証明用ＩＣカード６が、本発明の第１のＩＣカードに相当し、認証用ＩＣカード８が、本発明の第２のＩＣカードに相当する。
【００１９】
身分証明用ＩＣカード６は、例えば、運転免許証、旅券（パスポート）、健康保険証、住民票などの身分証明書として用いることができる身分証明用（本人確認用）のＩＣカードである。身分証明用ＩＣカード６のカード面には、カード所有者の顔写真、氏名、年齢、住所などの個人情報が記載されている。また、身分証明用ＩＣカード６には、これらの個人情報が記録されたＩＣチップ９が内蔵されている。そして、このＩＣチップ９は、認証用ＩＣカード８との間で相互認証処理を行うための認証データやアプリケーションプログラムを有している。
【００２０】
認証用ＩＣカード８は、身分証明用ＩＣカード６の情報の読取りや追記処理を行う作業者の認証を行うための認証用ＩＣカード８である。認証用ＩＣカード８にはＩＣチップ１０が内蔵されており、このＩＣチップ１０には、身分証明用ＩＣカード６との間で相互認証処理を行うための認証データやアプリケーションプログラムが備えられている。また、本実施の形態では、ＩＣチップ１０は、後述するＰＩＮ照合処理や生体認証処理を行うための認証データやアプリケーションプログラムを有している。
【００２１】
図２では特に図示していないが、ＩＣカードＲＷ端末１のカードホルダ４の内部には、ＩＣカードスロット５に挿入した身分証明用ＩＣカード６のＩＣチップ９と非接触通信可能な位置に第１のアンテナ１１（アンテナＡ）が近接して備えられている。また、端末本体２の内部には、ＩＣカード載せ台７に載置した認証用ＩＣカード８のＩＣチップ１０と非接触通信可能な位置に第２のアンテナ１２（アンテナＢ）が近接して備えられている。
【００２２】
ＩＣカードＲＷ端末１の端末本体２の上面の手前側部分には、指紋を用いて作業者の認証を行う生体認証部１３が備えられている。また、ＩＣカードＲＷ装置は、ＰＣインターフェース１４を備えており、ＩＣカードＲＷ端末１には、ＰＣインターフェース１４を介してＰＣ端末１５が接続される（図３参照）。このＰＣ端末１５は、液晶ディスプレイなどの表示部１６と、キーボードやマウスなどの入力部１７を備えている。
【００２３】
また、ＩＣカードＲＷ端末１は、ＣＰＵやメモリ等で構成された処理制御部１８を備えている。この処理制御部１８によって、後述する認証処理（ＰＩＮ照合処理、生体認証処理、相互認証処理）や追記処理などの動作が制御される。
【００２４】
つぎに、ＩＣカードＲＷ端末１の主要な構成、すわなち、身分証明用ＩＣカード６や認証用ＩＣカード８とのデータの送受信に関する構成について説明する。図３に示すように、ＩＣカードＲＷ端末１は、第１のデータ送信回路１９（データ送信回路Ａ）と、第２のデータ送信回路２０（データ送信回路Ｂ）と、データ受信回路２１と、送信制御回路２２と受信制御回路２３を有する制御回路２４と、信号切換回路２５と、アンテナ切換回路２６を備えている。ここでは、第１のデータ送信回路１９が、本発明の第１のデータ送信部に相当し、第２のデータ送信回路２０が、本発明の第２のデータ送信部に相当する。また、データ受信回路２１が、本発明のデータ受信部に相当し、アンテナ切換回路２６が、本発明のアンテナ切換部に相当する。そして、送信制御回路２２が、本発明の送信制御部に相当し、受信制御回路２３が、本発明の受信制御部に相当する。
【００２５】
図１および図３に示すように、第１のデータ送信回路１９と第２のデータ送信回路２０は、データ信号（データ信号Ａ、データ信号Ｂ）にＡＭ変調を施して変調データ信号（変調データ信号Ａ、変調データ信号Ｂ）を生成する変調回路２７と、変調データ信号をキャリア信号にのせて増幅する増幅回路２８と、増幅された信号の高周波成分をカットして送信データ信号（送信データ信号Ａ、送信データ信号Ｂ）を生成するＬＰＦ２９（ローパスフィルター）をそれぞれ備えている。本実施の形態の第１のデータ送信回路１９と第２のデータ送信回路２０には、変調データ信号を搬送するためのキャリア信号を発振する発振回路３０が一つ設けられている。すなわち、第１のデータ送信回路１９と第２のデータ送信回路２０は、一つの発振回路３０を共用しているともいえる。
【００２６】
信号切換回路２５は、送信制御回路２２からの送信切換信号を受けて、第１のデータ送信回路１９と第２のデータ送信回路２０のいずれか一方へデータ信号を送るように、データ信号の送り先を切り換える。すなわち、本実施の形態では、後述する相互認証処理を行っている間、処理内容に応じたタイミングで、制御回路２４からのデータ信号がいずれか一方のデータ送信回路１９、２０へ送られるように切り換えられる。
【００２７】
キャリア信号は、後述する相互認証処理を行っている間は、変調データ信号を搬送するか否かに関わらず、身分証明用ＩＣカード６と認証用ＩＣカード８へ向けて継続して送信されている。この場合、キャリア信号は、身分証明用ＩＣカード６と認証用ＩＣカード８に電源供給するための電源供給用信号として用いられている。
【００２８】
データ受信回路２１は、第１および第２のアンテナ１１、１２からの受信データ信号（受信データ信号Ａ、受信データ信号Ｂ）を復調する検波回路３１と、復調した信号のノイズ成分をカットするＬＰＦ３２（ローパスフィルター）と、ノイズ成分をカットした信号を増幅する増幅回路３３と、増幅した信号の波形を整形して復調データ信号（復調データ信号Ａ、復調データ信号Ｂ）を生成する整形回路３４を備えている。
【００２９】
アンテナ切換回路２６は、受信制御回路２３からの受信切換信号を受けて、第１のアンテナ１１と第２のアンテナ１２のいずれか一方からの受信データ信号をデータ受信回路２１へ送るように、データ受信時に用いるアンテナを切り換える。本実施の形態では、後述する相互認証処理を行っている間、処理内容に応じたタイミングで、身分証明用ＩＣカード６または認証用ＩＣカード８のいずれか一方の受信データ信号がデータ受信回路２１へ送られるように、アンテナ切換えが行われる。
【００３０】
図４は、アンテナ切換回路２６の一例を示すブロック図である。アンテナ切換回路２６は、二つのPinダイオード３５を有しており、第１および第２のアンテナ１１、１２からの受信データ信号は、Pinダイオード３５のアノード側にそれぞれ入力される。二つのPinダイオード３５には、インバータ３６を用いてバイアスが印加されており、インバータ３６のバイアスは、受信制御回路２３からの受信切換信号に応じて切り換えられる。受信切換信号によってバイアスが切り換えられると、Pinダイオード３５のカソード側からいずれか一方の受信データが出力される。このようにして、アンテナ切換回路２６では、データ受信回路２１へ出力する受信データ信号を切り換えることができるように構成されている。
【００３１】
以上のように構成されたＩＣカードＲＷ端末１について、図５を用いてその動作を説明する。図５は、ＩＣカードＲＷ端末１における認証処理の流れを示すフロー図である。
【００３２】
図５に示すように、本発明の実施の形態のＩＣカードＲＷ端末１を用いてデータ処理（追記処理）を行うときには、まず、認証用ＩＣカード８でのＰＩＮ照合処理が行われる。具体的には、ＰＣ端末１５の入力部１７から、ＰＩＮ照合開始コマンドを入力するとともに、ＰＩＮ（Personal Identification Number、個人識別番号）などの認証データを入力する。ＰＩＮ照合開始コマンドと認証データ（ＰＩＮ）は、ＩＣカードＲＷ端末１から認証用ＩＣカード８に非接触通信でデータ送信される。そして、認証用ＩＣカード８のＩＣチップ１０でＰＩＮ照合処理が行われ、そのＰＩＮ照合処理の結果（例えば、照合ＯＫの結果）がＩＣカードＲＷ端末１に返信される。ＰＩＮ照合処理の結果のデータが、ＩＣカードＲＷ端末１で受信されると、ＰＣ端末１５へ送られてその内容（例えば、照合ＯＫ）が表示部１６に表示される。
【００３３】
ＰＩＮ照合処理の結果が照合ＯＫだった場合、ＩＣカードＲＷ端末１では、生体認証処理が行われる。本実施の形態では、ＰＣ端末１５の入力部１７から生体認証コマンドを入力するとともに、ＩＣカードＲＷ端末１の生体認証部１３で作業者の指紋を光学的に読み取って認証データ（指紋データ）を入力する。生体認証開始コマンドと認証データ（指紋データ）は、ＩＣカードＲＷ端末１から認証用ＩＣカード８へ非接触通信でデータ送信される。そして、認証用ＩＣカード８のＩＣチップ１０で生体認証処理が行われ、その生体認証処理の結果（例えば、認証ＯＫの結果）がＩＣカードＲＷ端末１に返信される。生体認証処理の結果のデータが、ＩＣカードＲＷ端末１で受信されると、ＰＣ端末１５へ送られてその内容（例えば、認証ＯＫ）が表示部１６に表示される。
【００３４】
生体認証処理の結果が認証ＯＫだった場合、ＩＣカードＲＷ端末１では、身分証明用ＩＣカード６と認証用ＩＣカード８の相互間で相互認証処理が行われる。本実施の形態では、ＰＣ端末１５の入力部１７から相互認証開始コマンドが入力されると、ＩＣカードＲＷ端末１から身分証明用ＩＣカード６へ向けて認証要求（認証要求Ａ）が非接触通信でデータ送信される。身分証明用ＩＣカード６のＩＣチップ９では、所定の乱数を発生する乱数発生処理が行われるとともに、乱数に対応する鍵を生成する鍵生成処理が行われる。この乱数は身分証明用ＩＣカード６からＩＣカードＲＷ端末１に返信され、さらに、ＩＣカードＲＷ端末１から認証用ＩＣカード８へ非接触通信でデータ送信される。認証用ＩＣカード８のＩＣチップ１０では、その乱数を用いた演算処理が行われ、演算結果がＩＣカードＲＷ端末１に返信される。その演算結果は、さらにＩＣカードＲＷ端末１から身分証明用ＩＣカード６へデータ送信され、身分証明用ＩＣカード６のＩＣチップ９で、演算結果と鍵との照合処理が行われる。そして、照合処理の結果（例えば、照合ＯＫ）が、身分証明用ＩＣカード６からＩＣカードＲＷ端末１に返信され、さらに、ＩＣカードＲＷ端末１から認証用ＩＣカード８へ非接触通信でデータ送信される。例えば、身分証明用ＩＣカード６での乱数発生処理が、本発明の第１の処理に相当し、認証用ＩＣカード８での演算処理が、本発明の第２の処理に相当する。
【００３５】
身分証明用ＩＣカード６での照合処理の結果が照合ＯＫだった場合、ＩＣカードＲＷ端末１から認証用ＩＣカード８へ向けて認証要求（認証要求Ｂ）が非接触通信でデータ送信される。認証用ＩＣカード８のＩＣチップ１０では、所定の乱数を発生する乱数発生処理が行われるとともに、乱数に対応する鍵を生成する鍵生成処理が行われる。この乱数は認証用ＩＣカード８からＩＣカードＲＷ端末１に返信され、さらに、ＩＣカードＲＷ端末１から身分証明用ＩＣカード６へ非接触通信でデータ送信される。身分証明用ＩＣカード６のＩＣチップ９では、その乱数を用いた演算処理が行われ、演算結果がＩＣカードＲＷ端末１に返信される。その演算結果は、さらにＩＣカードＲＷ端末１から認証用ＩＣカード８へデータ送信され、認証用ＩＣカード８のＩＣチップ１０で、演算結果と鍵との照合処理が行われる。そして、照合処理の結果（例えば、照合ＯＫ）が、認証用ＩＣカード８からＩＣカードＲＷ端末１に返信され、さらに、ＩＣカードＲＷ端末１から身分証明用ＩＣカード６へ非接触通信でデータ送信される。
【００３６】
このような一連の相互認証処理を行った結果、認証用カードからの照合ＯＫを身分証明用カードが受け取ると、身分証明用カードはデータ読込みや追記が可能な状態となる。すなわち、本実施の形態では、上記のような三つの認証処理（ＰＩＮ照合処理、生体認証処理、相互認証処理）が行われた結果、身分証明用ＩＣカード６にデータ処理を施す資格を有する作業者であると認証されると、身分証明用ＩＣカード６に対するデータ読込み処理やデータ追記処理が許可される。
【００３７】
このような発明の実施の形態のＩＣカードＲＷ端末１によれば、第１および第２のアンテナ１１、１２（アンテナＡ、アンテナＢ）を設け、身分証明用ＩＣカード６および認証用ＩＣカード８に対して一連の相互認証処理を施すときに、第１のアンテナ１１（アンテナＡ）から身分証明用ＩＣカード６へ送信データ信号を送信するとともに、第２のアンテナ１２（アンテナＢ）から認証用ＩＣカード８へ送信データ信号を送信するように、第１および第２のデータ送信回路１９、２０（データ送信回路Ａ、データ送信回路Ｂ）を制御する。そして、身分証明用ＩＣカード６から受信データ信号を受信するときに第１のアンテナ１１を使用し、認証用ＩＣカード８から受信データ信号を受信するときに第２のアンテナ１２を使用するように、データ受信回路２１およびアンテナ切換回路２６を制御することにより、二つのＩＣカード（身分証明用ＩＣカード６および認証用ＩＣカード８）に対して交互に相互認証処理を施すことができ、かつ、ＩＣカードＲＷ端末１の小型化や低消費電力化、低価格化が可能になる。
【００３８】
すなわち、本実施の形態では、身分証明用ＩＣカード６および認証用ＩＣカード８に対して一連の相互認証処理を施している間、第１のアンテナ１１から身分証明用ＩＣカード６へ送信データ信号を送信するとともに、第２のアンテナ１２から認証用ＩＣカード８へ送信データ信号を送信する。これにより、二つのアンテナ１１、１２（アンテナＡ、アンテナＢ）を用いて、二つのＩＣカード（身分証明用ＩＣカード６および認証用ＩＣカード８）に対して相互認証処理を交互に施すことができる。また、身分証明用ＩＣカード６から受信データ信号を受信するときに第１のアンテナ１１を使用し、認証用ＩＣカード８から受信データ信号を受信するときに第２のアンテナ１２を使用するように、アンテナ切換回路２６を制御する。これにより、一つのデータ受信回路２１を共用することができ、データ受信回路２１の回路規模を小さくすることができる。したがって、二つのＩＣカード（身分証明用ＩＣカード６および認証用ＩＣカード８）に対して交互に相互認証処理を施すことができ、かつ、ＩＣカードＲＷ端末１の小型化や低消費電力化、低価格化が可能になる。
【００３９】
また、本実施の形態では、身分証明用ＩＣカード６および認証用ＩＣカード８に対して一連の相互認証処理を施している間、継続的に、電源供給用信号を含む送信データ信号が身分証明用ＩＣカード６へ送信されるとともに、電源供給用信号を含む送信データ信号が認証用ＩＣカード８へ送信される。これにより、相互認証処理を行っている間、継続的に、身分証明用ＩＣカード６の電源供給を行うことができるとともに、認証用ＩＣカード８の電源供給を行うことができる。これにより、二つのＩＣカード（身分証明用ＩＣカード６および認証用ＩＣカード８）に対して一連の相互認証処理を施すときに、一方のＩＣカードの処理中に他方のＩＣカードの電源供給が断たれることがなく、従来のように一連の処理中にＩＣカードが初期状態に戻るのを防ぐことができる。したがって、二つのＩＣカード（身分証明用ＩＣカード６および認証用ＩＣカード８）に対して交互に相互認証処理を施すことができる。
【００４０】
また、本実施の形態では、二つのＩＣカード（身分証明用ＩＣカード６および認証用ＩＣカード８）に対して交互に相互認証処理を施すときには、まず、第１の処理（例えば、乱数発生処理）に用いられるデータ信号（例えば、認証要求）を変調した変調データ信号を含む送信データ信号を身分証明用ＩＣカード６へ送信する。身分証明用ＩＣカード６のＩＣチップ９で第１の処理が行われると、ＩＣカードＲＷ端末１は、その処理の結果（例えば、乱数）のデータ信号を含む受信データ信号を身分証明用ＩＣカード６から受信する。このようにして、身分証明用ＩＣカード６との間でデータ通信が行われる。つぎに、第１の処理の結果から得られたデータ信号であって、第２の処理に用いられるデータ信号（例えば、乱数）を変調した変調データ信号を含む送信データ信号を認証用ＩＣカード８へ送信する。認証用ＩＣカード８のＩＣチップ１０で第２の処理が行われると、ＩＣカードＲＷ端末１は、その処理の結果（例えば、演算結果）のデータ信号を含む受信データ信号を認証用ＩＣカード８から受信する。このようにして、認証用ＩＣカード８との間でデータ通信が行われる。このとき、変調データ信号を搬送するキャリア信号として電源供給用信号が用いられているので、二つのＩＣカード（身分証明用ＩＣカード６および認証用ＩＣカード８）との間でデータ通信を行うと同時に、二つのＩＣカード（身分証明用ＩＣカード６および認証用ＩＣカード８）のＩＣチップ９、１０に電源供給をすることができる。
【００４１】
以上、本発明の実施の形態を例示により説明したが、本発明の範囲はこれらに限定されるものではなく、請求項に記載された範囲内において目的に応じて変更・変形することが可能である。
【産業上の利用可能性】
【００４２】
以上のように、本発明にかかるＩＣカード処理装置は、二つのＩＣカードに対して交互に一連の処理を施すことができ、かつ、小型化や低消費電力化、低価格化が可能であるという効果を有し、例えば、ＩＣカードに記録された情報の読取りや追記を行うＩＣカードＲＷ端末等として有用である。
【図面の簡単な説明】
【００４３】
【図１】本発明の実施の形態のＩＣカードＲＷ端末の主要な構成を示すブロック図
【図２】本発明の実施の形態のＩＣカードＲＷ端末の斜視図
【図３】本発明の実施の形態のＩＣカードＲＷ端末の全体構成を示すブロック図
【図４】本発明の実施の形態のアンテナ切換回路のブロック図
【図５】本発明の実施の形態のＩＣカードＲＷ端末における認証処理の流れを示すフロー図
【図６】従来のＩＣカード処理装置の構成を示すブロック図
【符号の説明】
【００４４】
１  ＩＣカードＲＷ端末
６  身分証明用ＩＣカード
８  認証用ＩＣカード
９  ＩＣチップ
１０  ＩＣチップ
１１  第１のアンテナ（アンテナＡ）
１２  第２のアンテナ（アンテナＢ）
１３  生体認証部
１８  処理制御部
１９  第１のデータ送信回路（データ送信回路Ａ）
２０  第２のデータ送信回路（データ送信回路Ｂ）
２１  データ受信回路
２２  送信制御回路
２３  受信制御回路
２４  制御回路
２５  信号切換回路
２６  アンテナ切換回路
【図１】
2008015978.tif 000003
【図２】
2008015978.tif 000004
【図３】
2008015978.tif 000005
【図４】
2008015978.tif 000006
【図５】
2008015978.tif 000007
【図６】
2008015978.tif 000008